(57)【特許請求の範囲】
【請求項１】
コンテンツを出力装置から出力するコンテンツ出力システムであって、
自身を識別する第１の端末識別子及び第２の端末識別子を格納しておく端末識別子格納手段を有する携帯端末と、
前記コンテンツを格納しておくコンテンツ格納手段と、当該コンテンツを識別するコンテンツ識別子と当該コンテンツのアドレスとを関連付けて格納しておくコンテンツ識別情報格納手段とを有するコンテンツサーバと、
前記第１の端末識別子と前記第２の端末識別子とを関連付けて格納しておく端末識別情報格納手段を有する管理サーバと、
を備えた前記コンテンツ出力システムにおいて、
前記コンテンツサーバは、前記携帯端末から前記コンテンツを取得する要求があった場合に、前記コンテンツ識別情報格納手段に格納された当該コンテンツの前記コンテンツ識別子を前記携帯端末に送信し、
前記携帯端末は、送信された当該コンテンツ識別子と、前記端末識別子格納手段に格納された前記第１の端末識別子とを前記管理サーバに通知し、
前記管理サーバは、通知された当該コンテンツ識別子と当該第１の端末識別子とを関連付けて要求コンテンツ情報格納手段に格納し、
前記出力装置は、当該出力装置が前記携帯端末と通信可能な場合に、当該携帯端末の前記端末識別子格納手段に格納された前記第２の端末識別子を受信して、当該第２の端末識別子を前記管理サーバに送信し、
前記管理サーバは、送信された当該第２の端末識別子に対応する前記第１の端末識別子を前記端末識別情報格納手段から読み出し、当該第１の端末識別子に対応する前記コンテンツ識別子を前記要求コンテンツ情報格納手段から読み出して、当該コンテンツ識別子を前記出力装置に送信し、
前記出力装置は、送信された当該コンテンツ識別子を前記コンテンツサーバに送信し、
前記コンテンツサーバは、送信された当該コンテンツ識別子に対応する前記コンテンツのアドレスを前記コンテンツ識別情報格納手段から読み出し、当該アドレスの前記コンテンツを前記コンテンツ格納手段から読み出して、当該コンテンツを前記出力装置に送信し、
前記出力装置は、送信された当該コンテンツを出力手段に出力し、
前記携帯端末は、前記コンテンツサーバから送信された前記コンテンツ識別子と、前記端末識別子格納手段に格納された前記第１の端末識別子とを関連付けたリンクを選択可能に表示する表示手段を更に有し、当該リンクが選択された場合に、当該コンテンツ識別子と当該第１の端末識別子とを前記管理サーバに通知することを特徴とするコンテンツ出力システム。
【請求項２】
前記コンテンツサーバは、前記コンテンツ識別子を前記携帯端末に送信すると共に、当該コンテンツ識別子に対応する前記コンテンツのアドレスにおける前記コンテンツ格納手段に格納された前記コンテンツを当該携帯端末に送信し、
前記携帯端末は、当該コンテンツサーバから送信された前記コンテンツを出力することを特徴とする請求項１に記載のコンテンツ出力システム。
【請求項３】
前記コンテンツ格納手段は、前記コンテンツを前記携帯端末で出力可能に変換した携帯端末用コンテンツと、前記コンテンツを前記出力装置で出力可能に変換した出力装置用コンテンツとを格納するものであって、
前記コンテンツサーバは、前記携帯端末から前記コンテンツを取得する要求があった場合に、当該携帯端末用コンテンツを前記携帯端末に送信し、前記出力装置から前記コンテンツ識別子が送信された場合に、当該出力装置用コンテンツを前記出力装置に送信することを特徴とする請求項１又は２に記載のコンテンツ出力システム。
【請求項４】
前記管理サーバは複数であって、
前記表示手段は、当該複数の管理サーバのそれぞれのアドレスを前記リンクに対応付けた複数のリンクを選択可能に表示することを特徴とする請求項１に記載のコンテンツ出力システム。
【請求項５】
前記コンテンツサーバは複数であって、前記コンテンツ識別子は当該コンテンツ識別子に対応する前記コンテンツを格納している前記コンテンツサーバのアドレスを含み、
前記出力装置は、前記管理サーバから送信された当該コンテンツ識別子に含まれるアドレスの前記コンテンツサーバに当該コンテンツ識別子を送信することを特徴とする請求項１乃至４のいずれか１項に記載のコンテンツ出力システム。
【請求項６】
前記出力装置は、当該出力装置を識別する出力装置識別子を格納しておく出力装置識別子格納手段を更に有し、
前記コンテンツサーバは、当該出力装置識別子と当該出力装置識別子に対応する前記出力装置に関連する第１の関連コンテンツの所在を示す第１の関連情報アドレスとを関連付けて格納しておく第１の関連情報アドレス格納手段を更に有し、
当該出力装置は、前記管理サーバから送信された前記コンテンツ識別子と共に、前記出力装置識別子格納手段に格納された前記出力装置識別子を前記コンテンツサーバに送信し、
当該コンテンツサーバは、前記コンテンツを前記出力装置に送信すると共に、当該出力装置から送信された当該出力装置識別子に対応する前記第１の関連情報アドレスを前記第１の関連情報アドレス格納手段から読み出して、当該第１の関連情報アドレスに存在する前記第１の関連コンテンツを前記出力装置に送信し、
前記出力装置は、当該コンテンツサーバから送信された前記コンテンツと当該第１の関連コンテンツとを前記表示手段に表示することを特徴とする請求項１乃至５のいずれか１項に記載のコンテンツ出力システム。
【請求項７】
前記コンテンツサーバは、前記第１の端末識別子と当該第１の端末識別子に対応する前記携帯端末に関連する第２の関連コンテンツの所在を示す第２の関連情報アドレスとを関連付けて格納しておく第２の関連情報アドレス格納手段を更に有し、
前記管理サーバは、前記携帯端末から通知された前記コンテンツ識別子と共に、当該コンテンツ識別子に対応する前記第１の端末識別子を前記出力装置に送信し、
前記出力装置は、当該管理サーバから送信された当該コンテンツ識別子と共に、当該第１の端末識別子を前記コンテンツサーバに送信し、
当該コンテンツサーバは、前記コンテンツを前記出力装置に送信すると共に、当該出力装置から送信された当該第１の端末識別子に対応する前記第２の関連情報アドレスを前記第２の関連情報アドレス格納手段から読み出して、当該第２の関連情報アドレスに存在する前記第２の関連コンテンツを前記出力装置に送信し、
前記出力装置は、当該コンテンツサーバから送信された前記コンテンツと当該第２の関連コンテンツとを前記表示手段に表示することを特徴とする請求項１乃至６のいずれか１項に記載のコンテンツ出力システム。
【請求項８】
前記出力装置は、当該出力装置を識別する出力装置識別子を格納しておく出力装置識別子格納手段を更に有し、
前記管理サーバは、当該出力装置識別子と当該出力装置識別子に対応する前記出力装置に関連する第３の関連コンテンツの所在を示す第３の関連情報アドレスとを関連付けて格納しておく第３の関連情報アドレス格納手段を更に有し、
前記出力装置は、前記携帯端末から通知された前記第２の端末識別子と共に、前記出力装置識別子格納手段に格納された前記出力装置識別子を当該管理サーバに送信し、
当該管理サーバは、前記コンテンツ識別子を前記出力装置に送信すると共に、当該出力装置から送信された当該出力装置識別子に対応する前記第３の関連情報アドレスを前記第３の関連情報アドレス格納手段から読み出して、当該第３の関連情報アドレスを前記出力装置に送信し、
前記出力装置は、当該管理サーバから送信された当該第３の関連情報アドレス情報に存在する前記第３の関連コンテンツを取得して、前記コンテンツサーバから送信された前記コンテンツと当該第３の関連コンテンツとを前記表示手段に表示することを特徴とする請求項１乃至７のいずれか１項に記載のコンテンツ出力システム。
【請求項９】
前記管理サーバは、前記第１の端末識別子と当該第１の端末識別子に対応する前記携帯端末に関連する第４の関連コンテンツの所在を示す第４の関連情報アドレスとを関連付けて格納しておく第４の関連情報アドレス格納手段を更に有し、
当該管理サーバは、前記コンテンツ識別子を前記出力装置に送信すると共に、前記出力装置から送信された前記第２の端末識別子に対応する前記第１の端末識別子を前記端末情報格納手段から読み出し、当該第１の端末識別子に対応する前記第４の関連情報アドレスを前記第４の関連情報アドレス格納手段から読み出して、当該第４の関連情報アドレスを前記出力装置に送信し、
前記出力装置は、当該管理サーバから送信された当該第４の関連アドレス情報に存在する前記第４の関連コンテンツを取得して、前記コンテンツサーバから送信された前記コンテンツと当該第４の関連コンテンツとを前記表示手段に表示することを特徴とする請求項１乃至８のいずれか１項に記載のコンテンツ出力システム。
【請求項１０】
前記携帯端末は、前記第２の端末識別子を前記出力装置に送信する手段を当該携帯端末に電気的に通信可能なカードに具備することを特徴とする請求項１乃至９のいずれか１項に記載のコンテンツ出力システム。
【請求項１１】
前記第１の関連コンテンツは、前記出力装置の設置場所，設置者，当該出力装置の機能に関連する情報であることを特徴とする請求項６に記載のコンテンツ出力システム。
【請求項１２】
前記第２の関連コンテンツは、前記携帯端末を使用する利用者に関連する情報であることを特徴とする請求項７に記載のコンテンツ出力システム。
【請求項１３】
前記第３の関連コンテンツは、前記出力装置の設置場所，設置者，当該出力装置の機能に関連する情報であることを特徴とする請求項８に記載のコンテンツ出力システム。
【請求項１４】
前記第４の関連コンテンツは、前記携帯端末を使用する利用者に関連する情報であることを特徴とする請求項９に記載のコンテンツ出力システム。
【請求項１５】
前記端末識別子格納手段に格納された前記第２の端末識別子は、前記携帯端末が前記管理サーバ装置に前記第１の端末識別子を送信することで提供されたプログラムにより生成されることを特徴とする請求項１乃至１４のいずれか１項に記載のコンテンツ出力システム。
【請求項１６】
前記プログラムは、前記第１の端末識別子と共に、前記携帯端末を使用する利用者に関連する情報を送信することで前記携帯端末に提供されることを特徴とする請求項１５に記載のコンテンツ出力システム。
【請求項１７】
前記出力装置は、当該出力装置から出力される前記第２の端末識別子を取得する要求が無線ネットワークを介して届く範囲内に前記携帯端末が近接した場合に、当該携帯端末の前記端末識別子格納手段に格納された前記第２の端末識別子を受信することを特徴とする請求項１乃至１６のいずれか１項に記載のコンテンツ出力システム。
【請求項１８】
コンテンツを出力装置から出力するコンテンツ出力方法であって、
自身を識別する第１の端末識別子及び第２の端末識別子を格納しておく端末識別子格納手段を有する携帯端末と、
前記コンテンツを格納しておくコンテンツ格納手段と、当該コンテンツを識別するコンテンツ識別子と当該コンテンツのアドレスとを関連付けて格納しておくコンテンツ識別情報格納手段とを有するコンテンツサーバと、
前記第１の端末識別子と前記第２の端末識別子とを関連付けて格納しておく端末識別情報格納手段を有する管理サーバと、
を備えた前記コンテンツ出力方法において、
前記コンテンツサーバにより、前記携帯端末から前記コンテンツを取得する要求があった場合に、前記コンテンツ識別情報格納手段に格納された当該コンテンツの前記コンテンツ識別子を前記携帯端末に送信する第１のステップと、
前記携帯端末により、送信された当該コンテンツ識別子と、前記端末識別子格納手段に格納された前記第１の端末識別子とを前記管理サーバに通知する第２のステップと、
前記管理サーバにより、通知された当該コンテンツ識別子と当該第１の端末識別子とを関連付けて要求コンテンツ情報格納手段に格納する第３のステップと、
前記出力装置により、当該出力装置が前記携帯端末と通信可能な場合に、当該携帯端末の前記端末識別子格納手段に格納された前記第２の端末識別子を受信して、当該第２の端末識別子を前記管理サーバに送信する第４のステップと、
前記管理サーバにより、送信された当該第２の端末識別子に対応する前記第１の端末識別子を前記端末識別情報格納手段から読み出し、当該第１の端末識別子に対応する前記コンテンツ識別子を前記要求コンテンツ情報格納手段から読み出して、当該コンテンツ識別子を前記出力装置に送信する第５のステップと、
前記出力装置により、送信された当該コンテンツ識別子を前記コンテンツサーバに送信する第６のステップと、
前記コンテンツサーバにより、送信された当該コンテンツ識別子に対応する前記コンテンツのアドレスを前記コンテンツ識別情報格納手段から読み出し、当該アドレスの前記コンテンツを前記コンテンツ格納手段から読み出して、当該コンテンツを前記出力装置に送信する第７のステップと、
前記出力装置により、送信された当該コンテンツを出力手段に出力する第８のステップと、を有し、
前記携帯端末は、前記コンテンツサーバから送信された前記コンテンツ識別子と、前記端末識別子格納手段に格納された前記第１の端末識別子とを関連付けたリンクを選択可能に表示する表示手段を更に有し、当該リンクが選択された場合に、当該コンテンツ識別子と当該第１の端末識別子とを前記管理サーバに通知することを特徴とするコンテンツ出力方法。
【請求項１９】
前記第１のステップは、前記コンテンツ識別子を前記携帯端末に送信すると共に、当該コンテンツ識別子に対応する前記コンテンツのアドレスにおける前記コンテンツ格納手段に格納された前記コンテンツを当該携帯端末に送信し、
前記第２のステップは、当該コンテンツサーバから送信された前記コンテンツを出力することを特徴とする請求項１８に記載のコンテンツ出力方法。
【発明の詳細な説明】
【技術分野】
【０００１】
本発明は、携帯端末で取得したコンテンツを出力する技術に関する。
【背景技術】
【０００２】
現在、我々は、通信ネットワークの規模や通信帯域の拡大により、インターネットやモバイルネットワークに存在している膨大なコンテンツを、携帯電話やＰＤＡ（Personal Digital Assistance：個人向けの小型情報管理端末、以降、単に「ＰＤＡ」と称する）等の携帯端末で取得し、そのコンテンツに含まれる任意の情報を容易に閲覧することができる。
【０００３】
一方、そのような携帯端末は、いつでもどこでも持ち運びができるという利便性を条件とする形状ゆえ、ネットワークを介して取得したコンテンツを表示する表示画面は通常のパソコン等よりも非常に小さく制限され、そのコンテンツを独自に印刷することができず、頻繁な画面スクロールやコンテンツの再検索を行う等の使用上の不自由性をも兼ね備えている。それ故、携帯端末で取得したコンテンツをより大きな画面を用いて閲覧する場合や更に印刷を所望する場合には、閲覧したコンテンツが存在する場所を示すＵＲＬ（Uniform Resource Locator）やＵＲＩ（Uniform Resource Identifier、以降、単に「ＵＲＩ」と称する）等を紙にメモし、そのＵＲＩ等をパソコン上で動作するブラウザに入力してコンテンツを取得してパソコン等の画面に表示し、パソコンに接続されたプリンタを用いて取得したコンテンツを印刷する方法等が用いられる。なお、ＵＲＩ等の誤入力を避けるため、携帯端末に付属する取り外し可能なメモリーカードにＵＲＩ等をコピーし、そのメモリーカードをパソコンに挿入してパソコンに直接読み込ませる方法もある。
【０００４】
また、前述したように所望するコンテンツを容易に取得可能になっていると共に、利用者の嗜好や利用者が存在している場所等に基づいて、利用者に有益であろうコンテンツを広告することで、利用者の購買欲を刺激して購入を促す配信技術も拡大している。例えば、特許文献１では、広告の掲載を希望する広告クライアントから広告コンテンツを受け取り、周囲の歩行者情報や車両の走行する場所，時間等の状況に基づいて、ビルの外壁やバスに設置した表示装置にその広告コンテンツを表示するため、利用者が存在する近傍のプロパティやエリア特性に合ったリッチな宣伝や広告を効果的に配信する技術が開示されている。
【特許文献１】特開２００５−１０９６５号公報
【発明の開示】
【発明が解決しようとする課題】
【０００５】
しかしながら、前者の技術は、パソコンの起動，そのパソコンにインストールされているＯＳ（Operating System）の操作，そのＯＳの上で動作するブラウザの起動や操作，ネットワークへの接続操作，ＵＲＩの入力等の非常に多くの手順が要求され、ある程度の操作知識を有する利用者を前提としている。また、パソコンの操作に精通していたとしても、所望のコンテンツがモバイルネットワークに存在する場合には、インターネットに接続しているモバイルネットワークのゲートウェイにおいて、そのモバイルネットワークを管理している通信会社によりインターネットからの接続を禁止するようアクセス制限がされている場合もある。更には、携帯端末やパソコンにメモリーカードを挿入する物理的インタフェースも必要となる。従って、このような様々な制約事項が存在するため、多くの一般利用者にとっては、所望のコンテンツを大画面へ表示することや印刷することが困難であるという問題がある。
【０００６】
また、後者の技術は、利用者の年齢や趣味などの嗜好等に関する個人情報やその他のプロパティを必要とし、広告クライアントから受け取った広告コンテンツのみを一方的に出力するため、個人情報の管理や利用者が所望するコンテンツを提供できないという問題がある。
【０００７】
本発明は、上記を鑑みてなされたものであり、利用者が所望するコンテンツを利便に出力すること第１の課題とし、そのコンテンツと共に利用者に有益となる関連コンテンツを出力することを第２の課題とする。
【課題を解決するための手段】
【０００８】
第１の請求項に係る発明は、コンテンツを出力装置から出力するコンテンツ出力システムであって、自身を識別する第１の端末識別子及び第２の端末識別子を格納しておく端末識別子格納手段を有する携帯端末と、前記コンテンツを格納しておくコンテンツ格納手段と、当該コンテンツを識別するコンテンツ識別子と当該コンテンツのアドレスとを関連付けて格納しておくコンテンツ識別情報格納手段とを有するコンテンツサーバと、前記第１の端末識別子と前記第２の端末識別子とを関連付けて格納しておく端末識別情報格納手段を有する管理サーバと、を備えた前記コンテンツ出力システムにおいて、前記コンテンツサーバは、前記携帯端末から前記コンテンツを取得する要求があった場合に、前記コンテンツ識別情報格納手段に格納された当該コンテンツの前記コンテンツ識別子を前記携帯端末に送信し、前記携帯端末は、送信された当該コンテンツ識別子と、前記端末識別子格納手段に格納された前記第１の端末識別子とを前記管理サーバに通知し、前記管理サーバは、通知された当該コンテンツ識別子と当該第１の端末識別子とを関連付けて要求コンテンツ情報格納手段に格納し、前記出力装置は、当該出力装置が前記携帯端末と通信可能な場合に、当該携帯端末の前記端末識別子格納手段に格納された前記第２の端末識別子を受信して、当該第２の端末識別子を前記管理サーバに送信し、前記管理サーバは、送信された当該第２の端末識別子に対応する前記第１の端末識別子を前記端末識別情報格納手段から読み出し、当該第１の端末識別子に対応する前記コンテンツ識別子を前記要求コンテンツ情報格納手段から読み出して、当該コンテンツ識別子を前記出力装置に送信し、前記出力装置は、送信された当該コンテンツ識別子を前記コンテンツサーバに送信し、前記コンテンツサーバは、送信された当該コンテンツ識別子に対応する前記コンテンツのアドレスを前記コンテンツ識別情報格納手段から読み出し、当該アドレスの前記コンテンツを前記コンテンツ格納手段から読み出して、当該コンテンツを前記出力装置に送信し、前記出力装置は、送信された当該コンテンツを出力手段に出力し、前記携帯端末は、前記コンテンツサーバから送信された前記コンテンツ識別子と、前記端末識別子格納手段に格納された前記第１の端末識別子とを関連付けたリンクを選択可能に表示する表示手段を更に有し、当該リンクが選択された場合に、当該コンテンツ識別子と当該第１の端末識別子とを前記管理サーバに通知する、ことを要旨とする。
【０００９】
本発明にあっては、コンテンツサーバが、携帯端末からコンテンツを取得する要求があった場合にコンテンツ識別子を携帯端末に送信し、携帯端末が、送信されたコンテンツ識別子と第１の端末識別子とを管理サーバに通知し、管理サーバが、通知されたコンテンツ識別子と第１の端末識別子とを関連付けて格納し、出力装置が、この出力装置が携帯端末と通信可能な場合に第２の端末識別子を受信して管理サーバに送信し、管理サーバが、送信された第２の端末識別子に対応する第１の端末識別子を検索し、第１の端末識別子に対応するコンテンツ識別子を検索して、コンテンツ識別子を出力装置に送信し、出力装置が、送信されたコンテンツ識別子をコンテンツサーバに送信し、コンテンツサーバが、送信されたコンテンツ識別子に対応するコンテンツのアドレスを検索し、このアドレスのコンテンツを検索して、コンテンツを出力装置に送信し、出力装置が、送信されたコンテンツを出力するため、利用者が所望するコンテンツを利便に出力することが可能となる。
【００１０】
即ち、携帯端末を利用する利用者の個人情報やその他のプロパティ等を用いることなく、所望のコンテンツを出力可能とする第１の利便性の効果を得ることができる。また、携帯電話等の持ち運びが可能でコンテンツの取得と閲覧が容易な機器と、パソコンのモニタやプリンタ等の持ち運びが困難な機器との間でコンテンツの相互依存性を高めることができ、例えば、携帯電話で閲覧したウェブページを街中のコンビニエンスストアやレンタルオフィスサービスや宿泊先のホテルの施設内に設置されているモニタやプリンタで手軽に閲覧や印刷を可能とする第２の利便性の効果を得ることができる。
また、本発明にあっては、携帯端末が、コンテンツサーバから送信されたコンテンツ識別子と第１の端末識別子とを関連付けたリンクを選択可能に表示する表示手段を更に有し、リンクが選択された場合にコンテンツ識別子と第１の端末識別子とを管理サーバに通知するため、所望のコンテンツを出力装置で出力するか否かを選択することができる。
【００１１】
第２の請求項に係る発明は、前記コンテンツサーバが、前記コンテンツ識別子を前記携帯端末に送信すると共に、当該コンテンツ識別子に対応する前記コンテンツのアドレスにおける前記コンテンツ格納手段に格納された前記コンテンツを当該携帯端末に送信し、前記携帯端末は、当該コンテンツサーバから送信された前記コンテンツを出力することを要旨とする。
【００１２】
本発明にあっては、コンテンツサーバが、コンテンツ識別子を携帯端末に送信すると共に、このコンテンツ識別子に対応するコンテンツのアドレスにおけるコンテンツ格納手段に格納されたコンテンツを携帯端末に送信し、携帯端末は、コンテンツサーバから送信されたコンテンツを出力するため、同内容を示すコンテンツを出力装置から出力すると共に携帯端末からも出力することができる。言い換えれば、利用者の携帯端末の画面に表示されているコンテンツをプリンタやモニタ等の出力装置に対して出力することができるため、携帯電話等の持ち運びが可能でコンテンツの取得や閲覧が容易な機器と、プリンタやパソコン用のモニタ等の持ち運びが困難な機器との間におけるコンテンツの相互依存性を高めることができる。
【００１３】
第３の請求項に係る発明は、前記コンテンツ格納手段が、前記コンテンツを前記携帯端末で出力可能に変換した携帯端末用コンテンツと、前記コンテンツを前記出力装置で出力可能に変換した出力装置用コンテンツとを格納するものであって、前記コンテンツサーバは、前記携帯端末から前記コンテンツを取得する要求があった場合に、当該携帯端末用コンテンツを前記携帯端末に送信し、前記出力装置から前記コンテンツ識別子が送信された場合に、当該出力装置用コンテンツを前記出力装置に送信することを要旨とする。
【００１４】
本発明にあっては、コンテンツサーバが、携帯端末からコンテンツを取得する要求があった場合に携帯端末用コンテンツを携帯端末に送信し、出力装置からコンテンツ識別子が送信された場合に出力装置用コンテンツを出力装置に送信するため、利用者が携帯端末で取得したコンテンツと同じコンテンツを出力装置でより快適に利用することができる。
【００１７】
第４の請求項に係る発明は、前記管理サーバは複数であって、前記表示手段は、当該複数の管理サーバのそれぞれのアドレスを前記リンクに対応付けた複数のリンクを選択可能に表示することを要旨とする。
【００１８】
本発明にあっては、管理サーバは複数であって、表示手段は、複数の管理サーバのそれぞれのアドレスをリンクに対応付けた複数のリンクを選択可能に表示するため、管理サーバが異なるサービスプロバイダや異なる地域等に設置されている場合であっても必要とする管理サーバを適宜選択することができる。
【００１９】
第５の請求項に係る発明は、前記コンテンツサーバは複数であって、前記コンテンツ識別子は当該コンテンツ識別子に対応する前記コンテンツを格納している前記コンテンツサーバのアドレスを含み、前記出力装置は、前記管理サーバから送信された当該コンテンツ識別子に含まれるアドレスの前記コンテンツサーバに当該コンテンツ識別子を送信することを要旨とする。
【００２０】
本発明にあっては、コンテンツサーバは複数であって、出力装置は、管理サーバから送信されたコンテンツ識別子に含まれるアドレスのコンテンツサーバにコンテンツ識別子を送信するため、複数のコンテンツサーバが存在する場合であっても、出力装置で出力されるコンテンツを携帯端末が要求したコンテンツサーバのコンテンツと同じにすることを確実とする。
【００２１】
第６の請求項に係る発明は、前記出力装置が、当該出力装置を識別する出力装置識別子を格納しておく出力装置識別子格納手段を更に有し、前記コンテンツサーバは、当該出力装置識別子と当該出力装置識別子に対応する前記出力装置に関連する第１の関連コンテンツの所在を示す第１の関連情報アドレスとを関連付けて格納しておく第１の関連情報アドレス格納手段を更に有し、当該出力装置は、前記管理サーバから送信された前記コンテンツ識別子と共に、前記出力装置識別子格納手段に格納された前記出力装置識別子を前記コンテンツサーバに送信し、当該コンテンツサーバは、前記コンテンツを前記出力装置に送信すると共に、当該出力装置から送信された当該出力装置識別子に対応する前記第１の関連情報アドレスを前記第１の関連情報アドレス格納手段から読み出して、当該第１の関連情報アドレスに存在する前記第１の関連コンテンツを前記出力装置に送信し、前記出力装置は、当該コンテンツサーバから送信された前記コンテンツと当該第１の関連コンテンツとを前記表示手段に表示することを要旨とする。
【００２２】
本発明にあっては、出力装置が、管理サーバから送信されたコンテンツ識別子と共に出力装置識別子をコンテンツサーバに送信し、コンテンツサーバは、コンテンツを出力装置に送信すると共に、出力装置から送信された出力装置識別子に対応する第１の関連情報アドレスを検索し、第１の関連情報アドレスに存在する第１の関連コンテンツを出力装置に送信し、出力装置は、コンテンツサーバから送信されたコンテンツと第１の関連コンテンツとを表示するため、出力装置を考慮したコマーシャルコンテンツ（広告）等に代表される限定配布型のコンテンツを組み合わせて出力することができる。また、コンテンツサーバが、出力装置識別子と出力装置識別子に対応する出力装置に関連する第１の関連情報の所在を示す第１の関連情報アドレスとを関連付けて格納するため、コンテンツサーバ側で関連コンテンツを管理することができる。更に、このコマーシャルを発出した事業者より費用を回収することで、本発明のコンテンツ出力システムを無料で利用するビジネスモデルも構築可能となる。
【００２３】
第７の請求項に係る発明は、前記コンテンツサーバが、前記第１の端末識別子と当該第１の端末識別子に対応する前記携帯端末に関連する第２の関連コンテンツの所在を示す第２の関連情報アドレスとを関連付けて格納しておく第２の関連情報アドレス格納手段を更に有し、前記管理サーバは、前記携帯端末から通知された前記コンテンツ識別子と共に、当該コンテンツ識別子に対応する前記第１の端末識別子を前記出力装置に送信し、前記出力装置は、当該管理サーバから送信された当該コンテンツ識別子と共に、当該第１の端末識別子を前記コンテンツサーバに送信し、当該コンテンツサーバは、前記コンテンツを前記出力装置に送信すると共に、当該出力装置から送信された当該第１の端末識別子に対応する前記第２の関連情報アドレスを前記第２の関連情報アドレス格納手段から読み出して、当該第２の関連情報アドレスに存在する前記第２の関連コンテンツを前記出力装置に送信し、前記出力装置は、当該コンテンツサーバから送信された前記コンテンツと当該第２の関連コンテンツとを前記表示手段に表示することを要旨とする。
【００２４】
本発明にあっては、管理サーバが、携帯端末から通知されたコンテンツ識別子と共に、コンテンツ識別子に対応する第１の端末識別子を出力装置に送信し、出力装置は、管理サーバから送信されたコンテンツ識別子と共に、第１の端末識別子をコンテンツサーバに送信し、コンテンツサーバは、コンテンツを出力装置に送信すると共に、出力装置から送信された第１の端末識別子に対応する第２の関連情報アドレスを検索し、第２の関連情報アドレスに存在する第２の関連コンテンツを出力装置に送信し、出力装置は、コンテンツサーバから送信されたコンテンツと第２の関連コンテンツとを表示するため、携帯端末の利用者を考慮したコマーシャルコンテンツ（広告）等に代表される限定配布型のコンテンツを組み合わせて出力することができる。また、コンテンツサーバが、携帯端末に関連する第２の関連情報の所在を示す第２の関連情報アドレスを格納するため、コンテンツサーバ側で関連コンテンツを管理することができる。更に、このコマーシャルを発出した事業者より費用を回収することで、本発明のコンテンツ出力システムを無料で利用するビジネスモデルも構築可能となる。
【００２５】
第８の請求項に係る発明は、前記出力装置が、当該出力装置を識別する出力装置識別子を格納しておく出力装置識別子格納手段を更に有し、前記管理サーバは、当該出力装置識別子と当該出力装置識別子に対応する前記出力装置に関連する第３の関連コンテンツの所在を示す第３の関連情報アドレスとを関連付けて格納しておく第３の関連情報アドレス格納手段を更に有し、前記出力装置は、前記携帯端末から通知された前記第２の端末識別子と共に、前記出力装置識別子格納手段に格納された前記出力装置識別子を当該管理サーバに送信し、当該管理サーバは、前記コンテンツ識別子を前記出力装置に送信すると共に、当該出力装置から送信された当該出力装置識別子に対応する前記第３の関連情報アドレスを前記第３の関連情報アドレス格納手段から読み出して、当該第３の関連情報アドレスを前記出力装置に送信し、前記出力装置は、当該管理サーバから送信された当該第３の関連情報アドレス情報に存在する前記第３の関連コンテンツを取得して、前記コンテンツサーバから送信された前記コンテンツと当該第３の関連コンテンツとを前記表示手段に表示することを要旨とする。
【００２６】
本発明にあっては、出力装置が、携帯端末から通知された第２の端末識別子と共に出力装置識別子を管理サーバに送信し、管理サーバは、コンテンツ識別子を出力装置に送信すると共に、出力装置から送信された出力装置識別子に対応する第３の関連情報アドレスを検索し、第３の関連情報アドレスを出力装置に送信し、出力装置は、管理サーバから送信された第３の関連情報アドレス情報に存在する第３の関連コンテンツを取得して、コンテンツサーバから送信されたコンテンツと第３の関連コンテンツとを表示するため、出力装置を考慮したコマーシャルコンテンツ（広告）等に代表される限定配布型のコンテンツを組み合わせて出力することができる。また、管理サーバが、出力装置識別子と出力装置識別子に対応する出力装置に関連する第３の関連情報の所在を示す第３の関連情報アドレスとを関連付けて格納するため、管理サーバ側で関連コンテンツを管理することができる。更に、このコマーシャルを発出した事業者より費用を回収することで、本発明のコンテンツ出力システムを無料で利用するビジネスモデルも構築可能となる。
【００２７】
第９の請求項に係る発明は、前記管理サーバが、前記第１の端末識別子と当該第１の端末識別子に対応する前記携帯端末に関連する第４の関連コンテンツの所在を示す第４の関連情報アドレスとを関連付けて格納しておく第４の関連情報アドレス格納手段を更に有し、当該管理サーバは、前記コンテンツ識別子を前記出力装置に送信すると共に、前記出力装置から送信された前記第２の端末識別子に対応する前記第１の端末識別子を前記端末情報格納手段から読み出し、当該第１の端末識別子に対応する前記第４の関連情報アドレスを前記第４の関連情報アドレス格納手段から読み出して、当該第４の関連情報アドレスを前記出力装置に送信し、前記出力装置は、当該管理サーバから送信された当該第４の関連アドレス情報に存在する前記第４の関連コンテンツを取得して、前記コンテンツサーバから送信された前記コンテンツと当該第４の関連コンテンツとを前記表示手段に表示することを要旨とする。
【００２８】
本発明にあっては、管理サーバが、コンテンツ識別子を出力装置に送信すると共に、出力装置から送信された第２の端末識別子に対応する第１の端末識別子を検索し、第１の端末識別子に対応する第４の関連情報アドレスを検索し、第４の関連情報アドレスを出力装置に送信し、出力装置は、管理サーバから送信された第４の関連アドレス情報に存在する第４の関連コンテンツを取得して、コンテンツサーバから送信されたコンテンツと第４の関連コンテンツとを表示するため、携帯端末の利用者を考慮したコマーシャルコンテンツ（広告）等に代表される限定配布型のコンテンツを組み合わせて出力することができる。また、管理サーバが、携帯端末に関連する第４の関連情報の所在を示す第４の関連情報アドレスを格納するため、管理サーバ側で関連コンテンツを管理することができる。更に、このコマーシャルを発出した事業者より費用を回収することで、本発明のコンテンツ出力システムを無料で利用するビジネスモデルも構築可能となる。
【００２９】
第１０の請求項に係る発明は、前記携帯端末が、前記第２の端末識別子を前記出力装置に送信する手段を当該携帯端末に電気的に通信可能なカードに具備することを要旨とする。
【００３０】
本発明にあっては、携帯端末が、第２の端末識別子を出力装置に送信する手段を携帯端末に電気的に通信可能なカードに具備するため、携帯端末の操作性を高めることができる。
【００３１】
第１１の請求項に係る発明は、前記第１の関連コンテンツが、前記出力装置の設置場所，設置者，当該出力装置の機能に関連する情報であることを要旨とする。
【００３２】
第１２の請求項に係る発明は、前記第２の関連コンテンツが、前記携帯端末を使用する利用者に関連する情報であることを要旨とする。
【００３３】
第１３の請求項に係る発明は、前記第３の関連コンテンツが、前記出力装置の設置場所，設置者，当該出力装置の機能に関連する情報であることを要旨とする。
【００３４】
第１４の請求項に係る発明は、前記第４の関連コンテンツが、前記携帯端末を使用する利用者に関連する情報であることを要旨とする。
【００３５】
第１５の請求項に係る発明は、前記端末識別子格納手段に格納された前記第２の端末識別子が、前記携帯端末が前記管理サーバ装置に前記第１の端末識別子を送信することで提供されたプログラムにより生成されることを要旨とする。
【００３６】
第１６の請求項に係る発明は、前記プログラムが、前記第１の端末識別子と共に、前記携帯端末を使用する利用者に関連する情報を送信することで前記携帯端末に提供されることを要旨とする。
【００３７】
第１７の請求項に係る発明は、前記出力装置が、当該出力装置から出力される前記第２の端末識別子を取得する要求が無線ネットワークを介して届く範囲内に前記携帯端末が近接した場合に、当該携帯端末の前記端末識別子格納手段に格納された前記第２の端末識別子を受信することを要旨とする。
【００３８】
第１８の請求項に係る発明は、コンテンツを出力装置から出力するコンテンツ出力方法であって、自身を識別する第１の端末識別子及び第２の端末識別子を格納しておく端末識別子格納手段を有する携帯端末と、前記コンテンツを格納しておくコンテンツ格納手段と、当該コンテンツを識別するコンテンツ識別子と当該コンテンツのアドレスとを関連付けて格納しておくコンテンツ識別情報格納手段とを有するコンテンツサーバと、前記第１の端末識別子と前記第２の端末識別子とを関連付けて格納しておく端末識別情報格納手段を有する管理サーバと、を備えた前記コンテンツ出力方法において、前記コンテンツサーバにより、前記携帯端末から前記コンテンツを取得する要求があった場合に、前記コンテンツ識別情報格納手段に格納された当該コンテンツの前記コンテンツ識別子を前記携帯端末に送信する第１のステップと、前記携帯端末により、送信された当該コンテンツ識別子と、前記端末識別子格納手段に格納された前記第１の端末識別子とを前記管理サーバに通知する第２のステップと、前記管理サーバにより、通知された当該コンテンツ識別子と当該第１の端末識別子とを関連付けて要求コンテンツ情報格納手段に格納する第３のステップと、前記出力装置により、当該出力装置が前記携帯端末と通信可能な場合に、当該携帯端末の前記端末識別子格納手段に格納された前記第２の端末識別子を受信して、当該第２の端末識別子を前記管理サーバに送信する第４のステップと、前記管理サーバにより、送信された当該第２の端末識別子に対応する前記第１の端末識別子を前記端末識別情報格納手段から読み出し、当該第１の端末識別子に対応する前記コンテンツ識別子を前記要求コンテンツ情報格納手段から読み出して、当該コンテンツ識別子を前記出力装置に送信する第５のステップと、前記出力装置により、送信された当該コンテンツ識別子を前記コンテンツサーバに送信する第６のステップと、前記コンテンツサーバにより、送信された当該コンテンツ識別子に対応する前記コンテンツのアドレスを前記コンテンツ識別情報格納手段から読み出し、当該アドレスの前記コンテンツを前記コンテンツ格納手段から読み出して、当該コンテンツを前記出力装置に送信する第７のステップと、前記出力装置により、送信された当該コンテンツを出力手段に出力する第８のステップと、を有し、前記携帯端末は、前記コンテンツサーバから送信された前記コンテンツ識別子と、前記端末識別子格納手段に格納された前記第１の端末識別子とを関連付けたリンクを選択可能に表示する表示手段を更に有し、当該リンクが選択された場合に、当該コンテンツ識別子と当該第１の端末識別子とを前記管理サーバに通知することを要旨とする。
【００３９】
第１９の請求項に係る発明は、前記第１のステップが、前記コンテンツ識別子を前記携帯端末に送信すると共に、当該コンテンツ識別子に対応する前記コンテンツのアドレスにおける前記コンテンツ格納手段に格納された前記コンテンツを当該携帯端末に送信し、前記第２のステップは、当該コンテンツサーバから送信された前記コンテンツを出力することを要旨とする。
【発明の効果】
【００４０】
本発明によれば、利用者が所望するコンテンツを利便に出力することを可能とし、そのコンテンツと共に利用者に有益となる関連コンテンツを出力することを可能とする。
【発明を実施するための最良の形態】
【００４１】
以下、本発明の実施の形態について図面を用いて説明する。最初に、本実施の形態に係るコンテンツ出力システムのシステム構成について説明し、続いて、本システムの動作処理について説明する。
【００４２】
図１は、本実施の形態に係るコンテンツ出力システムのシステム構成を示す構成図である。本実施の形態のコンテンツ出力システムは、利用者が直接触れて操作する携帯端末１００と、コンテンツを出力する出力装置２００と、携帯端末１００及び出力装置２００にコンテンツを供給するコンテンツサーバ３００と、携帯端末１００を識別する端末識別子等を管理する管理サーバ４００と、利用者が指定したコンテンツ以外の関連コンテンツを備える外部コンテンツサーバ５００とを備えた構成である。
【００４３】
図２は、携帯端末のブロック構成を示す構成図である。携帯端末１００は、自信を識別する第１の端末識別子（ネットワークＩＤを意味する。以降、単に「ＮＩＤ」と称する）を記録しておくＮＩＤ記録部１１０と、自信を識別する第２の端末識別子（ターミナルＩＤを意味する。以降、単に「ＴＩＤ」と称する）を記録しておくＴＩＤ記録部１２０と、利用者からの操作入力を受け付ける入力部１３０と、利用者からの操作により指定されたＵＲＩへ要求（リクエスト）を発出し、その要求に対する応答（レスポンス）で取得したコンテンツ等の表示や、ＴＩＤを新規に生成した場合にはＴＩＤの書き込みを要求する処理部１４０と、処理部１４０での処理結果を表示する出力部１５０と、ＮＩＤを外部へ通知し、外部との通信を処理するネットワーク通信部１６０と、ＴＩＤを外部へ送信し、ＴＩＤの書き込み要求があった場合には処理部１４０で実行されたプログラムにより生成されたＴＩＤをＴＩＤ記録部１２０へ書き込む近接通信部１７０とを備えた構成である。
【００４４】
ＮＩＤは、書き換えが不可能であって、その携帯端末１００を一意に識別可能な唯一性が担保されており、一般的には、携帯端末１００の機器自体に埋め込まれた識別子を意味するものである。一方、ＴＩＤについても同様の唯一性が担保されているが、一度だけ新規の書き込みが可能となっている。また、新規に書き込む場合には、前述したように、処理部１４０で実行されるプログラムで生成されたＴＩＤをＴＩＤ記録部１２０に書き込むことも可能となっている。ＮＩＤ及びＴＩＤは、それら２つの端末識別子を同じ格納部としての端末識別子格納部に格納しておくことも可能である。なお、このＴＩＤを生成するプログラムは、携帯端末１００がＮＩＤやこの携帯端末１００を利用する利用者に関連する情報を管理サーバ４００に送信することで予め取得することが可能となっている。
【００４５】
また、ネットワーク通信部１６０は、第１の通信ネットワークを介してコンテンツサーバ３００及び管理サーバ４００と通信を行い、近接通信部１７０は、第２の通信ネットワークを介して出力装置２００と通信を行う。第１の通信ネットワークとは、例えば、モバイルネットワークやインターネットや公衆回線網やＣＡＴＶ（ケーブルテレビ）網等を用いることができる。また、第２の通信ネットワークとは、例えば、ＪＲ（Japan Railway）や地下鉄の駅改札や構内の売店等で用いられている電磁誘導を用いて通信を行う方法や、携帯電話間で直接的に通信可能な赤外線通信等を用いることができる。このような第２の通信ネットワークの特徴は、物理的に直接接続しなくても、一方の装置（出力装置２００に相当）から出力される電磁波等が届く範囲内に他方の装置（携帯端末１００に相当）が近接することで、相互に通信を行うことができるものとなっている。
【００４６】
この携帯端末１００の最も適切な適用例としては、コンビニエンスストアや自販機での支払いや、会員証・ポイントカード・航空券等として作用する「おサイフケータイ」のサービスを提供可能な携帯電話を一例に挙げることができる。具体的には、図３（ａ）で示すように、近接通信部１７０を携帯端末の表面（背面）に配置し、後述する出力装置２００の近接通信部２２０に接触させることで近接通信をすることができる。この場合、入力部１３０は携帯電話のボタンであり、出力部１５０は画面であり、ＮＩＤ記録部１１０とＴＩＤ記録部１２０と処理部１４０とネットワーク通信部１６０とは携帯端末内に配置され、携帯端末１００を構成する各部は携帯電話として一体で構成されている。
【００４７】
また、携帯端末１００は、前述した全ての機能を携帯電話に具備することも可能であるし、図３（ｂ）に示すように、ＮＩＤ記録部１１０と入力部１３０と処理部１４０と出力部１５０とネットワーク通信部１６０とを携帯端末１００の内部に具備し、ＴＩＤ記録部１２０と近接通信部１７０とを携帯端末１００に電気的に通信可能なカードに具備するようにすることも可能である。出力装置１００との通信を行う機能を携帯端末１００の本体から切り離すことにより、近接通信時における携帯端末の操作性を高めることができる。
【００４８】
更に、ＴＩＤをＴＩＤ記録部１２０へ書き込む処理後における近接通信部１７０は、利用者がカードを出力装置２００に近接した際にＴＩＤ記録部１２０に格納されたＴＩＤを送信する処理のみを行い、他部からの要求や他部への依頼等の処理は無いので（詳細については、後述する）、ＴＩＤとＮＩＤとが予め対応していることを条件として、図３（ｂ）に示す携帯端末１００とカードとを物理的に別体とし、ＴＩＤを送信する処理のみを行う独立したカードとする構成であってもよい。
【００４９】
図４は、出力装置のブロック構成を示す構成図である。出力装置２００は、出力装置を識別する出力装置識別子（ペリフェラルＩＤを意味する。以降、単に「ＰＩＤ」と称する）を記録しておくＰＩＤ記録部（出力装置識別子格納手段に相当）２１０、携帯端末１００から送信されるＴＩＤを読み取る近接通信部２２０、送信されたＴＩＤやＮＩＤを用いてコンテンツサーバ３００及び管理サーバ４００への問い合わせや、コンテンツサーバ３００及び外部コンテンツサーバ５００から送信されたコンテンツ及び関連コンテンツを出力可能な形式に変換する処理部２３０と、処理部２３０で変換されたコンテンツ及び関連コンテンツを出力する出力部２４０と、ＰＩＤを外部へ通知し、外部との通信を処理するネットワーク通信部２５０とを備えた構成である。出力装置としては、例えば、大画面のテレビモニターやパソコンのモニタやプリンタ等を用いることができる。
【００５０】
図５は、コンテンツサーバのブロック構成を示す構成図である。コンテンツサーバ３００は、あるコンテンツを携帯端末１００で出力可能に変換した携帯端末用コンテンツを格納しておく携帯端末用コンテンツ格納部３１０と、そのコンテンツを出力装置２００で出力可能に変換した出力装置用コンテンツを格納しておく出力装置用コンテンツ格納部３２０と、そのコンテンツを一意に識別するコンテンツ識別子（コンテンツＩＤを意味する。以降、単に「ＣＩＤ」と称する）と携帯端末用コンテンツのアドレスと出力装置用コンテンツのアドレスとを関連付けて格納しておくコンテンツ識別情報格納部（以降、単に「テーブルＡ１」と称する）３３０と、出力装置２００を識別するＰＩＤと該ＰＩＤに対応する出力装置２００に関連する第１の関連コンテンツの所在を示す第１の関連情報アドレスとを関連付けて格納しておく第１の関連情報アドレス格納部（以降、単に「テーブルＡＰ」と称する）３４０と、携帯端末１００を識別するＮＩＤと該ＮＩＤに対応する携帯端末１００に関連する第２の関連コンテンツの所在を示す第２の関連情報アドレスとを関連付けて格納しておく第２の関連情報アドレス格納部（以降、単に「テーブルＡＮ」と称する）３５０と、各格納部を参照し、必要なコンテンツの読み出しを行うコンテンツ処理部３６０と、外部との通信を処理する通信処理部３７０とを備えた構成である。
【００５１】
第１の関連コンテンツとは、出力装置２００の設置場所，設置者，出力装置の機能に関連する情報であり、第２の関連コンテンツとは、携帯端末１００を使用する利用者に関連する情報である。なお、テーブルＡＰは、出力装置２００の種類に応じて表示する第１の関連コンテンツが定められている場合に具備されるものであり、テーブルＡＮは、携帯端末１００を利用する利用者に応じて表示する第２の関連コンテンツが定められている場合に具備されるものである。
【００５２】
また、ＣＩＤは、このＣＩＤに対応するコンテンツを格納しているコンテンツサーバ３００のアドレスを含むことが可能である。ＣＩＤに含まれたアドレス利用してコンテンツサーバ３００にアクセスすることが可能となるので、コンテンツサーバ３００が複数存在する場合であっても、動作処理に必要となる要求をコンテンツサーバ３００に確実に送信することが可能となる。
【００５３】
図６は、管理サーバのブロック構成を示す構成図である。管理サーバ４００は、出力装置２００から通知されたコンテンツを識別するＣＩＤと携帯端末１００を識別するＴＩＤとを関連付けて格納可能な要求コンテンツ情報格納部４１０（以降、単に「テーブルＢ１」と称する）と、携帯端末１００を識別するＮＩＤとＴＩＤとを関連付けて格納しておく端末識別情報格納部（以降、単に「テーブルＢ２」と称する）４２０と、出力装置２００を識別するＰＩＤと該ＰＩＤに対応する出力装置２００に関連する第３の関連コンテンツの所在を示す第３の関連情報アドレスとを関連付けて格納しておく第３の関連情報アドレス格納部（以降、単に「テーブルＢＰ」と称する）４３０と、携帯端末を識別するＮＩＤと該ＮＩＤに対応する携帯端末１００に関連する第４の関連コンテンツの所在を示す第４の関連情報アドレスとを関連付けて格納しておく第４の関連情報アドレス格納部（以降、単に「テーブルＢＮ」と称する）４４０と、携帯端末１００からのリクエストに基づいてＴＩＤを生成するプログラムを生成するＴＩＤプログラム生成部４５０と、各格納部を参照し、携帯端末１００及び出力装置２００からのリクエストを処置するリクエスト処理部４６０と、外部との通信を処理する通信処理部４７０とを備えた構成である。
【００５４】
第３の関連コンテンツとは、出力装置２００の設置場所，設置者，出力装置の機能に関連する情報であり、第４の関連コンテンツとは、携帯端末１００を使用する利用者に関連する情報である。なお、テーブルＢＰは、出力装置２００の種類に応じて表示する第３の関連コンテンツが定められている場合に具備されるものであり、テーブルＢＮは、携帯端末１００を利用する利用者に応じて表示する第４の関連コンテンツが定められている場合に具備されるものである。
【００５５】
次に、図１に戻り、本実施の形態に係るコンテンツ出力システムの動作処理について、図２〜図６に示す各装置の構成図を用いて説明する。
【００５６】
携帯端末１００は、利用者からＵＲＩの入力を受け付けて、入力されたＵＲＩに位置するコンテンツを格納しているコンテンツサーバ３００にコンテンツの取得要求（コンテンツリクエスト）を送信する（ステップＳ１０１）。ＵＲＩとは、インターネット上に存在する情報資源の場所を指し示す記述方式である。ＵＲＩは、Ｗｅｂページアクセスなどでよく利用されるＵＲＬ上位概念であり、ＵＲＬはＵＲＩの一部を具体的に仕様化した事で広く利用されている。ＵＲＩに代えて、ＵＲＬを用いることも可能である。
【００５７】
コンテンツサーバ３００は、携帯端末１００からコンテンツの取得要求があった場合に、この携帯端末１００から送信されたＵＲＩがテーブルＡ１に格納された携帯端末用コンテンツのアドレスに一致するアドレスを検索し、一致する携帯端末用コンテンツのアドレスに対応するＣＩＤをテーブルＡ１から読み出して携帯端末１００に送信すると共に、一致する携帯端末用コンテンツのアドレスに格納された携帯端末用コンテンツを携帯端末用コンテンツ格納部３１０から読み出して携帯端末１００に送信する（ステップＳ１０２）。
【００５８】
携帯端末１００は、コンテンツサーバ３００から送信された携帯端末用コンテンツを出力すると共に、このコンテンツサーバ３００から送信されたＣＩＤとＮＩＤ記録部１１０に記録されたＮＩＤとを関連付けたリンクを選択可能に表示し、このリンクが選択された場合に、選択されたリンクのＣＩＤ及びＮＩＤを管理サーバ４００に通知する（ステップＳ１０３）。なお、このリンクには、通知先の管理サーバ４００のＵＲＩが合わせて表示されている。特に、管理サーバ４００が複数存在する場合に、その複数の管理サーバのそれぞれのアドレスをそのリンクに対応付けて複数のリンクを選択可能に表示することで、所望の管理サーバを選択することが可能となる。また、選択可能に表示することなく、コンテンツサーバ３００からＣＩＤ及びコンテンツが送信された後に、ＣＩＤ及びＮＩＤを管理サーバ４００に直ちに通知するようにしてもよい。
【００５９】
管理サーバ４００は、携帯端末１００から送信されたＣＩＤ及びＮＩＤを関連付けてテーブルＢ１に格納（記録）し、記録が完了した後、携帯端末１００に記録完了通知を送信する（ステップＳ１０４）。携帯端末１００は、記録完了通知を受信した後、利用者の指示によりコンテンツの表示を再開する。
【００６０】
出力装置２００は、ＴＩＤ記録部１２０に記録さているＴＩＤの送信要求を携帯端末１００に随時又は所定の間隔で送信することで、近接通信部２２０に携帯端末１００が近づけられたかどうかを随時監視し、携帯端末１００が近づいた場合に携帯端末１００から送信されるＴＩＤを取得する（ステップＳ１０５）。より具体的には、出力装置２００は、この出力装置２００から出力されるＴＩＤの取得要求が前述した第２の通信ネットワークを介して届く範囲内に携帯端末１００が近接した場合に、ＴＩＤを受信することが可能となる。
【００６１】
出力装置２００は、携帯端末１００から取得したＴＩＤを管理サーバ４００に送信すると共に、ＰＩＤ記録部２１０に記録されているＰＩＤを管理サーバ４００に送信する（ステップＳ１０６）。なお、ＴＩＤのみを管理サーバ４００に送信することも可能である。
【００６２】
管理サーバ４００は、出力装置２００から送信されたＴＩＤに対応するＮＩＤをテーブルＢ２から検索し、検索されたＮＩＤに対応するＣＩＤをテーブルＢ１から検索して、検索されたＣＩＤを出力装置２００に送信すると共に、テーブルＢ２で検索されたＮＩＤを出力装置２００に送信し、出力装置２００から送信されたＰＩＤに対応する第３の関連情報アドレス（以降、単に「ＵＲＬ１」と称する）をテーブルＢＰから検索して出力装置２００に送信し、更に、テーブルＢ２で検索されたＮＩＤに対応する第４の関連情報アドレス（以降、単に「ＵＲＬ２」と称する）をテーブルＢＮから検索して出力装置２００に送信する（ステップＳ１０７）。なお、ＣＩＤのみ、ＣＩＤとＮＩＤのみ、ＣＩＤとＵＲＬ１のみ、ＣＩＤとＵＲＬ２のみ、ＣＩＤとＮＩＤとＵＲＬ１のみ、ＣＩＤとＮＩＤとＵＲＬ２のみ、のいずれかを出力装置２００に送信することも可能である。
【００６３】
出力装置２００は、管理サーバ４００から送信されたＣＩＤをコンテンツサーバ３００に送信すると共に、ＰＩＤ記録部２１０に記録されたＰＩＤをコンテンツサーバ３００に送信し、更に、管理サーバ４００から送信されたＮＩＤをコンテンツサーバ３００に送信する（ステップＳ１０８）。なお、ＣＩＤのみ、ＣＩＤとＰＩＤのみ、ＣＩＤとＮＩＤのみ、のいずれかをコンテンツサーバ３００に送信することも可能である。また、ＣＩＤにコンテンツサーバ３００のアドレスが含まれている場合には、出力装置２００は、この含まれているアドレスを用いてＣＩＤ等を送信する。
【００６４】
コンテンツサーバ３００は、出力装置２００から送信されたＣＩＤに対応するコンテンツのアドレスをテーブルＡ１から検索し、検索されたアドレスのコンテンツを出力装置用コンテンツ格納部３２０から読み出して、読み出した出力装置用コンテンツを出力装置２００に送信すると共に、出力装置２００から送信されたＰＩＤに対応する第１の関連情報アドレスをテーブルＡＰから検索し、検索された第１の関連情報アドレスに存在する第１の関連コンテンツを外部コンテンツサーバ５００から取得して出力装置２０に送信し、更に、出力装置２００から送信されたＮＩＤに対応する第２の関連情報アドレスをテーブルＡＮから検索し、検索された第２の関連情報アドレスに存在する第２の関連コンテンツを外部コンテンツサーバ５００から取得して出力装置２００に送信する（ステップＳ１０９）。
【００６５】
出力装置２００は、コンテンツサーバ３００から送信された出力装置用コンテンツをモニターやプリンタに出力すると共に、第１の関連コンテンツ及び／又は第２の関連コンテンツを出力する。また、ステップＳ１０７で送信されたＵＲＬ１に存在する第３の関連コンテンツを外部コンテンツサーバ５００から取得して出力し、ＵＲＬ２に存在する第４の関連コンテンツを外部コンテンツサーバ５００から取得して出力する。（ステップＳ１１０）。
【００６６】
続いて、コンテンツサーバ３００の動作処理について説明する。図７は、コンテンツサーバの動作処理を示すシーケンスであり、図８は、図７に続くコンテンツサーバの動作処理を示すシーケンスである。
【００６７】
コンテンツサーバ３００は、動作を開始すると、最初に全パラメータを初期化し（ステップＳ２０１）、通信の待ち受けを開始する（ステップＳ２０２）。
【００６８】
携帯端末１００からのコンテンツリクエストを受信すると（ステップＳ２０３）、そのリクエストに従って、携帯端末用コンテンツ格納部３１０から携帯端末用コンテンツを取得する（ステップＳ２０４）。携帯端末用コンテンツを取得した場合に（ステップＳ２０５）、その携帯端末用コンテンツに対応するＣＩＤをテーブルＡ１から読み出して（ステップＳ２０６，ステップＳ２０８）、携帯端末用コンテンツ格納部３１０から読み出した携帯端末用コンテンツに、テーブルＡ１から読み出したＣＩＤと、このコンテンツを閲覧する携帯端末１００のＮＩＤを管理サーバ４００に送出するためのリンクを埋め込む編集を行い（ステップＳ２０９）、その編集が完了した携帯端末用コンテンツを携帯端末１００に送出する（ステップＳ２１０）。なお、ステップＳ２０５において、コンテンツの取得ができない場合には、コンテンツが無い旨のコンテンツを作成し（ステップＳ２０７）、作成したコンテンツを携帯端末１００に送出する。また、ステップＳ２０８において、対応するＣＩＤが無い場合には、ステップＳ２０９の処理をすることなく、携帯端末用コンテンツ格納部３１０から読み出した携帯端末用コンテンツをそのまま携帯端末１００に送出する。
【００６９】
また、ステップＳ２０３において、携帯端末１００からのリクエストを受信しない場合、即ち、出力装置２００からのリクエストを受信した場合には（ステップＳ２１１）、そのリクエストに含まれているＣＩＤに基づいてテーブルＡ１を検索し、出力装置用コンテンツを出力装置用コンテンツ格納部３２０から読み出す（ステップＳ２１２）。出力装置用コンテンツのアドレスが無い場合には（ステップＳ２１３）、代替として、携帯端末用コンテンツを携帯端末用コンテンツ格納部３１０から読み出す（ステップＳ２１５）。携帯端末用コンテンツのアドレスが無い場合には（ステップＳ２１６）、取得失敗という旨のコンテンツを作成する（ステップＳ２１７）。そして、ステップＳ２１２，ステップＳ２１５，ステップＳ２１７のいずれかの処理で得られたコンテンツをコンテンツＯ１として一次保持しておく（ステップＳ２１４）。
【００７０】
次に、出力装置２００から送信されたリクエストにＰＩＤが含まれている場合には（ステップＳ２１８）、そのＰＩＤに対応するＵＲＩをテーブルＡＰから読み出す（ステップＳ２１９）。ＵＲＩを正常に読み出した後（ステップＳ２２０）、そのＵＲＩにアクセスし（ステップＳ２２１）、そのコンテンツを正常に取得した場合に（ステップＳ２２２）、コンテンツＯ２として一次保持しておく（ステップＳ２２３）。ステップＳ２１８において、リクエストにＰＩＤが含まれていない場合や、ステップＳ２２０において、ＵＲＩが正常に読み出せない場合や、ステップＳ２２２において、コンテンツが正常に取得できない場合には、情報を何も含まないコンテンツＯ２を作成し、一時保持しておく（ステップＳ２２４）。
【００７１】
同様に、出力装置２００から送信されたリクエストにＮＩＤが含まれている場合には（ステップＳ２２５）、そのＮＩＤに対応するＵＲＩをテーブルＡＮから読み出す（ステップＳ２２６）。ＵＲＩを正常に読み出した後（ステップＳ２２７）、そのＵＲＩにアクセスし（ステップＳ２２８）、そのコンテンツを正常に取得した場合に（ステップＳ２２９）、コンテンツＯ３として一次保持しておく（ステップＳ２３０）。ステップＳ２２５において、リクエストにＰＩＤが含まれていない場合や、ステップＳ２２７において、ＵＲＩが正常に読み出せない場合や、ステップＳ２２９において、コンテンツが正常に取得できない場合には、情報を何も含まないコンテンツＯ３を作成し、一時保持しておく（ステップＳ２３１）。
【００７２】
このように作成されたコンテンツＯ１〜Ｏ３を組み合わせて生成したコンテンツをコンテンツＯ４とし（ステップＳ２３２）、このコンテンツＯ４を出力装置２００に送信する（ステップＳ２３３）。その送信が完了した後、全てのコンテンツＯ１〜Ｏ４をクリアして（ステップＳ２３４）初期状態に戻す。
【００７３】
次に、管理サーバ４００の動作処理について説明する。図９は、管理サーバの動作処理を示すシーケンスであり、図１０は、図９に続く管理サーバの動作処理を示すシーケンスである。
【００７４】
管理サーバ４００は、起動後、通信の待ち受けを開始する（ステップＳ３０１）。携帯端末１００からのリクエストを受信すると（ステップＳ３０２）、そのリクエスト内容がＴＩＤを生成するプログラムの要求か否かを判断し（ステップＳ３０３）、プログラムの要求の場合には、ユーザプロファイルを作成する（ステップＳ３０４）。このユーザプロファイルは、利用者が使用する携帯端末のＮＩＤや、年齢，性別，趣味，嗜好等の一般的な内容で、テーブルＢ２に記録し管理される。また、同時に、重複のないＴＩＤを生成してテーブルＢ２に書き込む他、この生成されたＴＩＤをプログラムの中に埋め込み（ステップＳ３０５）、完成したプログラムをコンテンツとして（ステップＳ３０６）、携帯端末１００に送出する（ステップＳ３０７）。送出が完了した後、プログラムの生成に用いた中間コンテンツやパラメータを初期化し（ステップＳ３０８）、元の状態に復帰する。
【００７５】
ステップＳ３０３において、プログラムの要求でない場合には、そのリクエストの中に含まれているＮＩＤ及びＣＩＤをテーブルＢ１に書き込み記憶する（ステップＳ３０９）。書き込みが正常に完了すると（ステップＳ３１０）、書き込み完了の旨のコンテンツを作成し（ステップＳ３１１）、作成したコンテンツを携帯端末に送信し（ステップＳ３０７）、初期化作業を行い復帰する（ステップＳ３０８）。ステップＳ３１０において、書き込みが失敗した場合には、失敗した旨のコンテンツを作成し（ステップＳ３１２）、作成したコンテンツを携帯端末に送信し（ステップＳ３０７）、初期化作業を行い復帰する（ステップＳ３０８）。
【００７６】
ステップＳ３０２において、管理サーバ４００が、出力装置２００からのリクエストを受信した場合には（ステップＳ３１３）、テーブルＢ２を参照し、受信したＴＩＤに対応するＮＩＤを読み出して（ステップＳ３１４）、ＮＩＤが読み出せた場合には（ステップＳ３１５）、そのＮＩＤに対応したＣＩＤをテーブルＢ１から読み出す（ステップＳ３１６）。ＣＩＤが読み出せた場合には（ステップＳ３１７）、後述の処理に移行するが、ステップＳ３１５においてＮＩＤが読み出せない場合には、ＴＩＤが正常に登録されず、処理が失敗した旨を出力装置に通知して（ステップＳ３１８）、復帰する。また、ステップＳ３１７においてＣＩＤが読み出せない場合には、出力指定が無く、処置が正常に完了できない旨を出力装置に通知して（ステップＳ３１９）、復帰する。
【００７７】
ステップＳ３１７において、ＣＩＤが正常に読み出せた場合には、出力装置２００からのリクエストにＰＩＤが含まれているか否かを判断し（ステップＳ３２０）、ＰＩＤが含まれている場合には、テーブルＢＰを参照してＰＩＤに対応するＵＲＩを読み出し（ステップＳ３２１）、正常に読み出されると（ステップＳ３２２）、読み出されたＵＲＩをＵＲＩ１として一時保持する（ステップＳ３２３）。ステップＳ３２０において、リクエストにＰＩＤが含まれていない場合や、ステップＳ３２２において、テーブルＢＰに登録が無い場合には、ＵＲＩ１に空情報を入れて、一時保持する（ステップＳ３２４）。
【００７８】
次に、テーブルＢ２へのアクセスで得られたＮＩＤに基づいて、テーブルＢＮを参照し、このＮＩＤに対応したＵＲＩを読み出して（ステップＳ３２５）、正常に読み出されると（ステップＳ３２６）、読み出したＵＲＩをＵＲＩ２として一時保持する（ステップＳ３２７）。ステップＳ３２６において、読み出しができなかった場合には、ＵＲＬ２に空情報を入れて、一時保持する（ステップＳ３２８）。
【００７９】
次に、ＮＩＤを通知する設定が予め管理サーバ４００に成されている場合には（ステップＳ３２９）、ＣＩＤ，ＮＩＤ，ＵＲＬ１，ＵＲＬ２の情報を出力装置１００に送信し（ステップＳ３３０）、ＮＩＤの通知設定が成されていない場合には、ＣＩＤ，ＵＲＬ１，ＵＲＬ２の情報を出力装置１００に送信する（ステップＳ３３１）。送信が完了した後、テーブルＢ１から読み出したレコードを削除し（ステップＳ３３２）、そのＮＩＤのレコードが他にあるか否かを確認し（ステップＳ３３３）、他に無い場合には初期状態に復帰し、他にある場合には残っているレコードのＣＩＤを読み出して（ステップＳ３３４）、ステップＳ３２０以降の処理を繰り返す。
【００８０】
次に、携帯端末１００の近接通信部１７０及びＴＩＤ記録部１２０の動作処理について説明する。図１１は、携帯端末の近接通信部及びＴＩＤ記録部の動作処理を示すシーケンスである。
【００８１】
ＴＩＤの読み出し要求があると（ステップＳ４０１）、その要求が正しいものであればＴＩＤを通知し（ステップＳ４０２）、復帰する。ステップＳ４０１において、ＴＩＤの読み出し要求で無い場合には、ＴＩＤの生成要求であるかを判断し（ステップＳ４０３）、ＴＩＤの生成要求である場合には、既存のＴＩＤの有無を判断し（ステップＳ４０４）、既存のＴＩＤがあれば、それを削除して（ステップＳ４０５）、その後、処理部１４０で実行されたプログラムにより通知されたＴＩＤをＴＩＤ記録部に書き込む（ステップＳ４０６）。ステップＳ４０３において、ＴＩＤの生成要求でない場合には、復帰する。また、ステップＳ４０４において、既存のＴＩＤが無い場合には、通知されたＴＩＤをＴＩＤ記録部１２０に書き込む。
【００８２】
次に、携帯端末１００のＮＩＤ記録部１１０と入力部１３０と処理部１４０と出力部１５０とネットワーク通信部１６０との動作処理について説明する。図１２は、携帯端末におけるＮＩＤ記録部と入力部と処理部と出力部とネットワーク通信部との動作処理を示すシーケンスである。
【００８３】
処理が開始すると、利用者からアクセス先となるＵＲＩの指示を待つ（ステップＳ５０１）。利用者からの指示があると、そのＵＲＩへのアクセスにＮＩＤの通知の必要性の有無を判断し（ステップＳ５０２）、必要がある場合には、ＮＩＤの通知と共にＵＲＩへアクセスし（ステップＳ５０３）、ＮＩＤ通知の必要がない場合には、ＮＩＤを通知することなく単にＵＲＩへアクセスし（ステップＳ５０４）、レスポンスを待つ。受け取ったレスポンスがコンテンツであれば（ステップＳ５０５）、コンテンツの表示処理を行い（ステップＳ５０６）、最初の処理に復帰する。受け取ったレスポンスがＴＩＤを生成するプログラムである場合には（ステップＳ５０７）、そのプログラムを実行する（ステップＳ５０８）。このプログラムは、終了指示の有無の確認と（ステップＳ５０９）、ＴＩＤの書き込みコマンドの発行を確認（ステップＳ５１０）しつつ実行され、ＴＩＤの書き込みコマンドが発行されると、近接通信部１７０に対してＴＩＤの書き込みを指示する（ステップＳ５１１）。書き込みが終わると実行の完了を通知し（ステップＳ５１２）、プログラムの実行へと復帰し、プログラムの終了が指示されるまで実行を続ける。ステップＳ５０７において、受け取ったレスポンスがプログラムで無い場合には、アクセス失敗を表示し（ステップＳ５１３）、復帰する。
【００８４】
続いて、出力装置２００の動作処理について説明する。図１３は、出力装置の動作処理を示すシーケンスである。
【００８５】
近接通信部２２０は、ＴＩＤの要求を出す（ステップＳ６０１）と共に、ＴＩＤの取得を待つ（ステップＳ６０２）。携帯端末１００の近接通信部１７０が出力装置２００の近接通信部２２０に近づけられ、ＴＩＤの読み取りが完了すると、取得したＴＩＤと、ＰＩＤ記録部２１０に記録されているＰＩＤとを管理サーバ４００に通知する（ステップＳ６０３）。管理サーバ４００から何らかのエラーを受信した場合には（ステップＳ６０４）、エラー内容を利用者に通知し、復帰処理をする（ステップＳ６０５）。エラー内容を受信しない場合には、管理サーバ４００から、ＣＩＤ，ＮＩＤ，ＵＲＩ１，ＵＲＩ２を取得する。前述したように、管理サーバ４００からはＮＩＤ，ＵＲＩ１，ＵＲＩ２が送信されない場合もある。
【００８６】
これらの情報を取得すると、ＣＩＤをコンテンツサーバ３００に通知し（ステップＳ６０６）、事前の設定でコンテンツサーバ３００にＰＩＤを通知する設定の場合には（ステップＳ６０７）、ＰＩＤをコンテンツサーバ３００に通知する（ステップＳ６０８）。また、管理サーバ４００からＮＩＤと受け取っている場合には（ステップＳ６０９）、ＮＩＤをコンテンツサーバに通知する（ステップＳ６１０）。通知が完了すると、コンテンツサーバ３００からコンテンツが送出されてくるのを待つ（ステップＳ６１１）。コンテンツを受け取ると、そのコンテンツをコンテンツＡとして一時保持する（ステップＳ６１２）。
【００８７】
ステップＳ６０４において、ＵＲＩを受信している場合には（ステップＳ６１３）、そのＵＲＩにアクセスし（ステップＳ６１４）、レスポンスで得られたコンテンツを保持する（ステップＳ６１５）。複数のＵＲＩ（ＵＲＬ１，ＵＲＬ２）を受信している場合には、全てのＵＲＩにアクセスし、全てのコンテンツを取得し（ステップＳ６１６）、ここで取得したコンテンツと先に一時保持したコンテンツＡとを組み合わせて出力用コンテンツを生成する（ステップＳ６１７）。管理サーバ４００からＵＲＩを受け取っていない場合には、コンテンツＡをそのまま出力用コンテンツとして（ステップＳ６１８）、出力部２４０から出力用コンテンツを出力する（ステップＳ６１９）。出力が完了すると、管理サーバ４００から未処理のＣＩＤを受け取っているかどうかを確認し（ステップＳ６２０）、受け取っていない場合には最初に復帰し、残っている場合には、ステップＳ６０６以降の処理を繰り返す。
【００８８】
最後に、本実施の形態で説明した携帯端末１００，出力装置２００，コンテンツサーバ３００，及び，管理サーバ４００は、少なくとも演算機能及び制御機能を備えた中央演算装置（ＣＰＵ）、プログラムやデータを格納する機能を有するＲＡＭ等からなる主記憶装置（メモリ）を有する電子的な装置から構成されているものである。また、各装置は、主記憶装置の他、ハードディスクなどの補助記憶装置を具備していてもよい。
【００８９】
また、本実施の形態に係る各処理を実行するプログラムは、携帯端末１００，出力装置２００，コンテンツサーバ３００，及び，管理サーバ４００にそれぞれ格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００９０】
本実施の形態によれば、コンテンツサーバ３００が、携帯端末１００からコンテンツを取得する要求があった場合にＣＩＤを携帯端末１００に送信し、携帯端末１００が、送信されたＣＩＤとＮＩＤとを管理サーバ４００に通知し、管理サーバ４００が、通知されたＣＩＤとＮＩＤとを関連付けて格納し、出力装置２００が、この出力装置２００が携帯端末１００と通信可能な場合にＴＩＤを受信して管理サーバ４００に送信し、管理サーバ４００が、送信されたＴＩＤに対応するＮＩＤを検索し、ＮＩＤに対応するＣＩＤを検索して、ＣＩＤを出力装置２００に送信し、出力装置２００が、送信されたＣＩＤをコンテンツサーバ３００に送信し、コンテンツサーバ３００が、送信されたＣＩＤに対応するコンテンツのアドレスを検索し、このアドレスのコンテンツを検索して、コンテンツを出力装置２００に送信し、出力装置２００が、送信されたコンテンツを出力するので、利用者が所望するコンテンツを利便に出力することが可能となる。
【００９１】
即ち、携帯端末１００を利用する利用者の個人情報やその他のプロパティ等を用いることなく、所望のコンテンツを出力可能とする第１の利便性の効果を得ることができる。また、携帯電話等の持ち運びが可能でコンテンツの取得と閲覧が容易な機器と、パソコンのモニタやプリンタ等の持ち運びが困難な機器との間でコンテンツの相互依存性を高めることができ、例えば、携帯電話で閲覧したウェブページを街中のコンビニエンスストアやレンタルオフィスサービスや宿泊先のホテルの施設内に設置されているモニタやプリンタで手軽に閲覧や印刷を可能とする第２の利便性の効果を得ることができる。
【００９２】
更に、オリジナルのＷｅｂコンテンツに改変を加える必要性を回避し、携帯端末で閲覧したコンテンツをコンビニエンスストア等に設置された本実施の形態の出力装置に相当する機能を有する高機能プリンタ等から印刷したり、同様の機能を備えた大型表示装置で表示することを非常に容易に実現できるだけでなく、オリジナルコンテンツに対する編集作業を削減したり、誤出力や悪意のある利用者によるコンテンツの出力を抑制できるセキュリティも同時に実現することができる。
【００９３】
本実施の形態によれば、コンテンツサーバ３００が、ＣＩＤを携帯端末１００に送信すると共に、このＣＩＤに対応するコンテンツのアドレスにおける携帯端末用コンテンツ格納部３１０に格納された携帯端末用コンテンツを携帯端末１００に送信し、携帯端末１００は、コンテンツサーバ３００から送信されたコンテンツを出力するため、同内容を示すコンテンツを出力装置２００から出力すると共に携帯端末１００からも出力することができる。言い換えれば、利用者の携帯端末の画面に表示されているコンテンツをプリンタやモニタ等の出力装置に対して出力することができるため、携帯電話等の持ち運びが可能でコンテンツの取得や閲覧が容易な機器と、プリンタやパソコン用のモニタ等の持ち運びが困難な機器との間におけるコンテンツの相互依存性を高めることができる。
【００９４】
本実施の形態によれば、コンテンツサーバ３００が、携帯端末１００からコンテンツを取得する要求があった場合に携帯端末用コンテンツを携帯端末に送信し、出力装置２００からＣＩＤが送信された場合に出力装置用コンテンツを出力装置２００に送信するので、利用者が携帯端末１００で取得したコンテンツと同じコンテンツを出力装置２００でより快適に利用することができる。
【００９５】
本実施の形態によれば、携帯端末１００が、コンテンツサーバ３００から送信されたＣＩＤとＮＩＤとを関連付けたリンクを選択可能に表示する表示手段を更に有し、リンクが選択された場合にＣＩＤとＮＩＤとを管理サーバ４００に通知するので、所望のコンテンツを出力装置２００で出力するか否かを選択することができる。
【００９６】
本実施の形態によれば、管理サーバ４００は複数であって、表示手段は、複数の管理サーバ４００のそれぞれのアドレスをリンクに対応付けた複数のリンクを選択可能に表示するので、管理サーバ４００が異なるサービスプロバイダや異なる地域等に設置されている場合であっても必要とする管理サーバ４００を適宜選択することができる。
【００９７】
本実施の形態によれば、コンテンツサーバ３００は複数であって、出力装置２００は、管理サーバ４００から送信されたＣＩＤに含まれるアドレスのコンテンツサーバ３００にＣＩＤを送信するので、複数のコンテンツサーバ３００が存在する場合であっても、出力装置２００で出力されるコンテンツを携帯端末１００が要求したコンテンツサーバ３００のコンテンツと同じにすることを確実とする。
【００９８】
本実施の形態によれば、出力装置２００が、管理サーバ４００から送信されたＣＩＤと共にＰＩＤをコンテンツサーバ３００に送信し、コンテンツサーバ３００は、コンテンツを出力装置２００に送信すると共に、出力装置２００から送信されたＰＩＤに対応する第１の関連情報アドレスを検索し、第１の関連情報アドレスに存在する第１の関連コンテンツを出力装置２００に送信し、出力装置２００は、コンテンツサーバ３００から送信されたコンテンツと第１の関連コンテンツとを表示するので、出力装置を考慮したコマーシャルコンテンツ（広告）等に代表される限定配布型のコンテンツを組み合わせて出力することができる。また、コンテンツサーバ３００が、ＰＩＤとＰＩＤに対応する出力装置に関連する第１の関連情報の所在を示す第１の関連情報アドレスとを関連付けて格納するので、コンテンツサーバ側で関連コンテンツを管理することができる。更に、このコマーシャルを発出した事業者より費用を回収することで、本発明のコンテンツ出力システムを無料で利用するビジネスモデルも構築可能となる。
【００９９】
本実施の形態によれば、管理サーバ４００が、携帯端末１００から通知されたＣＩＤと共に、ＣＩＤに対応するＮＩＤを出力装置２００に送信し、出力装置２００は、管理サーバ４００から送信されたＣＩＤと共に、ＮＩＤをコンテンツサーバ３００に送信し、コンテンツサーバ３００は、コンテンツを出力装置２００に送信すると共に、出力装置２００から送信されたＮＩＤに対応する第２の関連情報アドレスを検索し、第２の関連情報アドレスに存在する第２の関連コンテンツを出力装置２００に送信し、出力装置２００は、コンテンツサーバ３００から送信されたコンテンツと第２の関連コンテンツとを表示するので、携帯端末の利用者を考慮したコマーシャルコンテンツ（広告）等に代表される限定配布型のコンテンツを組み合わせて出力することができる。また、コンテンツサーバ３００が、携帯端末１００に関連する第２の関連情報の所在を示す第２の関連情報アドレスを格納するので、コンテンツサーバ側で関連コンテンツを管理することができる。更に、このコマーシャルを発出した事業者より費用を回収することで、本発明のコンテンツ出力システムを無料で利用するビジネスモデルも構築可能となる。
【０１００】
本実施の形態によれば、出力装置２００が、携帯端末１００から通知されたＴＩＤと共にＰＩＤを管理サーバ４００に送信し、管理サーバ４００は、ＣＩＤを出力装置２００に送信すると共に、出力装置２００から送信されたＰＩＤに対応する第３の関連情報アドレスを検索し、第３の関連情報アドレスを出力装置２００に送信し、出力装置２００は、管理サーバ４００から送信された第３の関連情報アドレス情報に存在する第３の関連コンテンツを取得して、コンテンツサーバ３００から送信されたコンテンツと第３の関連コンテンツとを表示するので、出力装置を考慮したコマーシャルコンテンツ（広告）等に代表される限定配布型のコンテンツを組み合わせて出力することができる。また、管理サーバ４００が、ＰＩＤとＰＩＤに対応する出力装置２００に関連する第３の関連情報の所在を示す第３の関連情報アドレスとを関連付けて格納するので、管理サーバ側で関連コンテンツを管理することができる。更に、このコマーシャルを発出した事業者より費用を回収することで、本発明のコンテンツ出力システムを無料で利用するビジネスモデルも構築可能となる。
【０１０１】
本実施の形態によれば、管理サーバ４００が、ＣＩＤを出力装置２００に送信すると共に、出力装置２００から送信されたＴＩＤに対応するＮＩＤを検索し、ＮＩＤに対応する第４の関連情報アドレスを検索し、第４の関連情報アドレスを出力装置２００に送信し、出力装置２００は、管理サーバ４００から送信された第４の関連アドレス情報に存在する第４の関連コンテンツを取得して、コンテンツサーバ３００から送信されたコンテンツと第４の関連コンテンツとを表示するので、携帯端末の利用者を考慮したコマーシャルコンテンツ（広告）等に代表される限定配布型のコンテンツを組み合わせて出力することができる。また、管理サーバ４００が、携帯端末１００に関連する第４の関連情報の所在を示す第４の関連情報アドレスを格納するので、管理サーバ側で関連コンテンツを管理することができる。更に、このコマーシャルを発出した事業者より費用を回収することで、本発明のコンテンツ出力システムを無料で利用するビジネスモデルも構築可能となる。
【０１０２】
即ち、利用者や出力装置の設置場所や機器の種類に応じた個別のコンテンツを、携帯端末１００から指定したコンテンツと同時に出力するので、テーブルＡＰ，テーブルＡＮ，テーブルＢＰ，テーブルＢＮの内容の制御により、例えば、コンテンツを出力する際に利用者の興味や嗜好に即した広告情報を埋め込むことで、効果の高い広告配信プラットフォームとして利用することができる。広告配信プラットフォームとして利用できるので、広告の依頼主からの費用により、これらシステム維持費をまかなうことや、システム運営者が収入を得ることも可能となる。
【０１０３】
本実施の形態によれば、携帯端末１００が、ＴＩＤを出力装置２００に送信する手段を携帯端末に電気的に通信可能なカードに具備するので、携帯端末１００の操作性を高めることができる。
【図面の簡単な説明】
【０１０４】
【図１】本実施の形態に係るコンテンツ出力システムのシステム構成を示す構成図である。
【図２】携帯端末のブロック構成を示す構成図である。
【図３】携帯端末の外観を示す外観図である。
【図４】出力装置のブロック構成を示す構成図である。
【図５】コンテンツサーバのブロック構成を示す構成図である。
【図６】管理サーバのブロック構成を示す構成図である。
【図７】コンテンツサーバの動作処理を示すシーケンスである。
【図８】図７に続くコンテンツサーバの動作処理を示すシーケンスである。
【図９】管理サーバの動作処理を示すシーケンスである。
【図１０】図９に続く管理サーバの動作処理を示すシーケンスである。
【図１１】携帯端末の近接通信部及びＴＩＤ記録部の動作処理を示すシーケンスである。
【図１２】携帯端末におけるＮＩＤ記録部と入力部と処理部と出力部とネットワーク通信部との動作処理を示すシーケンスである。
【図１３】出力装置の動作処理を示すシーケンスである。
【符号の説明】
【０１０５】
１００…携帯端末
１１０…ＮＩＤ記録部
１２０…ＴＩＤ記録部
１３０…入力部
１４０…処理部
１５０…出力部
１６０…ネットワーク通信部
１７０…近接通信部
２００…出力装置
２１０…ＰＩＤ記録部
２２０…近接通信部
２３０…処理部
２４０…出力部
２５０…ネットワーク通信部
３００…コンテンツサーバ
３１０…携帯端末用コンテンツ格納部
３２０…出力装置用コンテンツ格納部
３３０…コンテンツ識別情報格納部（テーブルＡ１）
３４０…第１の関連情報アドレス格納部（テーブルＡＰ）
３５０…第２の関連情報アドレス格納部（テーブルＡＮ）
３６０…コンテンツ処理部
３７０…通信処理部
４００…管理サーバ
４１０…要求コンテンツ情報格納部（テーブルＢ１）
４２０…端末識別情報格納部（テーブルＢ２）
４３０…第３の関連情報アドレス格納部（テーブルＢＰ）
４４０…第４の関連情報アドレス格納部（テーブルＢＮ）
４５０…ＴＩＤプログラム生成部
４６０…リクエスト処理部
４７０…通信処理部
５００…外部コンテンツサーバ
Ｏ１〜Ｏ４…コンテンツ
Ｓ１０１〜Ｓ１１０…ステップ
Ｓ２０１〜Ｓ２３４…ステップ
Ｓ３０１〜Ｓ３３４…ステップ
Ｓ４０１〜Ｓ４０６…ステップ
Ｓ５０１〜Ｓ５１３…ステップ
Ｓ６０１〜Ｓ６２０…ステップ
【図１】
0004940112.tif 000002
【図２】
0004940112.tif 000003
【図３】
0004940112.tif 000004
【図４】
0004940112.tif 000005
【図５】
0004940112.tif 000006
【図６】
0004940112.tif 000007
【図７】
0004940112.tif 000008
【図８】
0004940112.tif 000009
【図９】
0004940112.tif 000010
【図１０】
0004940112.tif 000011
【図１１】
0004940112.tif 000012
【図１２】
0004940112.tif 000013
【図１３】
0004940112.tif 000014